(57)【要約】【課題】スペースを有効に利用することができる機器固定部材を提供する。【解決手段】機器収容ボックス（機器固定部材）は、合成樹脂製であって、本体６の底面６ｃに、電気機器が固定される固定面２を備える。この固定面２には、ケーブルが通る貫通孔３を閉塞する閉塞部４が、除去可能に設けられる。そして、固定面２には、閉塞部４の前面を除く部分である主固定面２ａに、電気機器を固定するビスが強制的に螺入する第１固定穴２ｂが設けられ、閉塞部４の前面である補助固定面４ａに、電気機器を固定するビスが強制的に螺入する第２固定穴４ｂが設けられる。【選択図】  図３
2016034222.tif 000002
【特許請求の範囲】
【請求項１】
前面側に電気機器が固定される固定面を備えた合成樹脂製の機器固定部材であって、
前記固定面に、ケーブルが通る貫通孔を閉塞する閉塞部が、除去可能に設けられ、また、
前記固定面には、前記閉塞部の前面を除く部分である主固定面に、電気機器を固定するビスが強制的に螺入する第１固定穴が設けられ、前記閉塞部の前面である補助固定面に、電気機器を固定するビスが強制的に螺入する第２固定穴が設けられる、機器固定部材。
【請求項２】
前記閉塞部は、その閉塞部の周囲部分と繋がって一体に樹脂成形されて、打ち抜きにより除去されるノックアウトからなる、請求項１に記載の機器固定部材。
【請求項３】
前記第１固定穴は、縦横に連続して複数並設され、前記第２固定穴は、前記第１固定穴の縦横に倣って、縦横に複数並設される、請求項１または２に記載の機器固定部材。
【請求項４】
蓋部材を備え、その蓋部材は、前記固定面をその固定面に固定される電気機器とともに覆い隠す閉位置と、その固定面をその固定面に固定される電気機器とともに露出させる開位置とに開閉動可能である、請求項１ないし３のいずれか１項に記載の機器固定部材。
【請求項５】
前記固定面は、前記主固定面と前記補助固定面とが、同一面上にある、請求項１ないし４のいずれか１項に記載の機器固定部材。
【請求項６】
前記閉塞部は、前記固定面の中心からずれた位置に設けられる、請求項１ないし５のいずれか１項に記載の機器固定部材。
【請求項７】
底壁とその底壁から立ち上がる周壁とを有する有底箱状の本体を備え、前記底壁における、前記周壁で囲まれる底面のうちの全部または一部が、前記固定面となり、
前記閉塞部は、前記底面の中心からずれた位置に設けられる、請求項１ないし６のいずれか１項に記載の機器固定部材。
【請求項８】
前記周壁は、矩形状の枠からなって、前記底面は、矩形形状を有し、
前記閉塞部は、前記底面の矩形形状を構成する２組の相対する辺のうち、一方の組の相対する辺間の中心線からずれた位置にあるとともに、他方の組の相対する辺間の中心線の位置にある、請求項７に記載の機器固定部材。
【発明の詳細な説明】
【技術分野】
【０００１】
この発明は、ケーブルのためのノックアウトを有して電気機器が固定される機器固定部材に関するものである。
【背景技術】
【０００２】
従来、コンセント等の機器類が収容されて配線される機器収容ボックスがあった（例えば、特許文献１参照）。この機器収容ボックスは、底壁部に、機器類が固定される固定部を有し、また、底壁部の、固定部のない部分とか、周壁に、ケーブルを内部に導入するための打ち抜き可能なノックアウトが設けられていた。
【先行技術文献】
【特許文献】
【０００３】
【特許文献１】特開２００７−３１１５０９
【発明の概要】
【発明が解決しようとする課題】
【０００４】
ところで、前記従来の機器収容ボックス（機器固定部材）にあっては、底壁部にノックアウトを設けると、その分、機器類を固定するための固定部（固定面）が狭くなることから、スペースを有効に利用することができないでいた。
【０００５】
この発明は、上記した従来の欠点を解決するためになされたものであり、その目的とするところは、スペースを有効に利用することができる機器固定部材を提供することにある。
【課題を解決するための手段】
【０００６】
この発明に係る機器固定部材は、前記目的を達成するために、次の構成からなる。すなわち、
請求項１に記載の発明に係る機器固定部材は、前面側に電気機器が固定される固定面を備えた合成樹脂製の機器固定部材であって、前記固定面に、ケーブルが通る貫通孔を閉塞する閉塞部が、除去可能に設けられる。そして、前記固定面には、前記閉塞部の前面を除く部分である主固定面に、電気機器を固定するビスが強制的に螺入する第１固定穴が設けられ、前記閉塞部の前面である補助固定面に、電気機器を固定するビスが強制的に螺入する第２固定穴が設けられる。
【０００７】
この機器固定部材によると、電気機器が固定される固定面に、ケーブルのための除去可能な閉塞部が設けられ、その固定面には、閉塞部の前面を除く主固定面と、閉塞部の前面の補助固定面との両方に、固定のためのビスが強制的に螺入する固定穴が設けられる。このため、閉塞部の前面が、固定面の一部となって、固定のためのスペースを広く取ることができる。そして、閉塞部を除去すれば、貫通孔が形成され、その貫通孔を通してケーブルを配設することもできる。
【０００８】
また、請求項２に記載の発明に係る機器固定部材は、請求項１に記載の機器固定部材において、前記閉塞部は、その閉塞部の周囲部分と繋がって一体に樹脂成形されて、打ち抜きにより除去されるノックアウトからなる。
【０００９】
また、請求項３に記載の発明に係る機器固定部材は、請求項１または２に記載の機器固定部材において、前記第１固定穴は、縦横に連続して複数並設され、前記第２固定穴は、前記第１固定穴の縦横に倣って、縦横に複数並設される。
【００１０】
また、請求項４に記載の発明に係る機器固定部材は、請求項１ないし３のいずれか１項に記載の機器固定部材において、蓋部材を備え、その蓋部材は、前記固定面をその固定面に固定される電気機器とともに覆い隠す閉位置と、その固定面をその固定面に固定される電気機器とともに露出させる開位置とに開閉動可能である。
【００１１】
また、請求項５に記載の発明に係る機器固定部材は、請求項１ないし４のいずれか１項に記載の機器固定部材において、前記固定面は、前記主固定面と前記補助固定面とが、同一面上にある。こうして、固定面が、閉塞部の前面である補助固定面を含めて同一面上にあることから、補助固定面に設けられた第２固定穴を用いて電気機器を固定する場合であっても、その電気機器を安定して固定することができる。
【００１２】
また、請求項６に記載の発明に係る機器固定部材は、請求項１ないし５のいずれか１項に記載の機器固定部材において、前記閉塞部は、前記固定面の中心からずれた位置に設けられる。
【００１３】
また、請求項７に記載の発明に係る機器固定部材は、請求項１ないし６のいずれか１項に記載の機器固定部材において、底壁とその底壁から立ち上がる周壁とを有する有底箱状の本体を備え、前記底壁における、前記周壁で囲まれる底面のうちの全部または一部が、前記固定面となる。そして、前記閉塞部は、前記底面の中心からずれた位置に設けられる。
【００１４】
また、請求項８に記載の発明に係る機器固定部材は、請求項７に記載の機器固定部材において、前記周壁は、矩形状の枠からなって、前記底面は、矩形形状を有する。そして、前記閉塞部は、前記底面の矩形形状を構成する２組の相対する辺のうち、一方の組の相対する辺間の中心線からずれた位置にあるとともに、他方の組の相対する辺間の中心線の位置にある。
【発明の効果】
【００１５】
この発明に係る機器固定部材によれば、ケーブルのための除去可能な閉塞部が、電気機器が固定される固定面の一部となるため、固定のためのスペースを広く取ることができ、スペースを有効に利用することができる。
【図面の簡単な説明】
【００１６】
【図１】この発明の一実施の形態の、機器収容ボックスにおける、蓋部材を開いたときの斜視図である。
【図２】同じく、機器収容ボックスにおける、蓋部材を閉じたときの斜視図である。
【図３】同じく、機器収容ボックスの、本体の正面図である。
【図４】同じく、図３におけるＡ−Ａ線による拡大断面図である。
【図５】同じく、閉塞部を除去したときの図３相当図である。
【図６】この発明の他の実施の形態の、機器固定台の斜視図である。
【図７】同じく、閉塞部を除去したときの図６相当図である。
【図８】この発明のさらに他の実施の形態の、機器固定台を示す図であって、（ａ）は、正面図、（ｂ）は、Ｂ−Ｂ線による断面図である。
【図９】同じく、閉塞部を除去したときの図８相当図であって、（ａ）は、正面図、（ｂ）は、Ｃ−Ｃ線による断面図である。
【発明を実施するための形態】
【００１７】
以下、この発明に係る機器固定部材を実施するための形態を図面に基づいて説明する。
【００１８】
図１〜図５は、本発明の一実施の形態を示す。図中符号１は、合成樹脂製の機器固定部材を示す。
【００１９】
この機器固定部材１は、前面側に電気機器（図示せず）が固定される固定面２を備える。そして、固定面２に、ケーブルが通る貫通孔３を閉塞する閉塞部４が、除去可能に設けられる。すなわち、固定面２から閉塞部４を除去することで、固定面２に、その固定面２を貫通する貫通孔３が形成される。図示実施の形態においては、閉塞部４は、その閉塞部４の周囲部分と繋がって一体に樹脂成形されて、打ち抜きにより除去されるノックアウトからなる。
【００２０】
また、固定面２には、閉塞部４の前面を除く部分である主固定面２ａに、電気機器を固定するビスが強制的に螺入する第１固定穴２ｂが設けられる。そして、閉塞部４の前面である補助固定面４ａに、電気機器を固定するビスが強制的に螺入する第２固定穴４ｂが設けられる。ここで、固定面２は、主固定面２ａと補助固定面４ａとが、同一面上にあるように形成される。
【００２１】
また、機器固定部材１は、蓋部材５を備える。この蓋部材５は、固定面２をその固定面２に固定される電気機器とともに覆い隠す閉位置と、その固定面２をその固定面２に固定される電気機器とともに露出させる開位置とに開閉動可能となっている。
【００２２】
具体的には、機器固定部材１は、配電函等の機器収容ボックス１ａからなり、建物の壁とかポール等の被取付体に取り付けられる。そして、機器収容ボックス１ａの内部に、ブレーカーとかコンセントとか計器等の電気機器が収容される。この機器収容ボックス１ａは、底壁６ａとその底壁６ａから立ち上がる周壁６ｂとを有する有底箱状の本体６を備える。そこで、機器収容ボックス１ａは、底壁６ａにおける、周壁６ｂで囲まれる底面６ｃとは反対側の裏面を、建物の壁等の被取付体に向けるようにして、取り付けられる。そして、底壁６ａにおける、周壁６ｂで囲まれる底面６ｃ（前面）のうちの全部または一部（図示実施の形態においては一部）が、電気機器が固定される前述の固定面２となる。図示実施の形態においては、底面６ｃは、周壁６ｂに沿った枠状の周縁面６ｄを有し、その内側が、周縁面６ｄよりも一段高く形成されて、前記固定面２となる。ここにおいて、前述の閉塞部４は、例えば円形に形成され、その閉塞部４は、固定面２の中心からずれた位置に設けられる。そして、閉塞部４は、底面６ｃの中心からずれた位置に設けられる。
【００２３】
詳細には、周壁６ｂは、矩形状の枠からなって、底面６ｃは、矩形形状を有する。そして、底面６ｃにおける固定面２もまた、矩形形状を有する。また、閉塞部４は、底面６ｃの矩形形状を構成する２組の相対する辺のうち、一方の組の相対する辺Ｘ１、Ｘ１間の中心線からずれた位置にあるとともに、他方の組の相対する辺Ｘ２、Ｘ２間の中心線の位置にある。
【００２４】
そして、第１固定穴２ｂは、縦横に連続して複数並設され、第２固定穴４ｂは、第１固定穴２ｂの縦横に倣って、縦横に複数並設される。そして、固定面２は、それら第１固定穴２ｂ、２ｂおよび第２固定穴４ｂ、４ｂによって、その全体が埋め尽くされる。また、第１固定穴２ｂとか第２固定穴４ｂは、その奥側が塞がれている。このため、第１固定穴２ｂとか第２固定穴４ｂから雨水等が浸入することがなく、また、第１固定穴２ｂとか第２固定穴４ｂにビスが強制的に螺入した際、固定穴２ｂ、４ｂやその周りが変形しにくく、電気機器を固定面２にしっかりと固定することができる。なお、図示実施の形態においては、これら第１固定穴２ｂとか第２固定穴４ｂは、縦あるいは横に延びる長穴からなるが、丸穴であってもよく、また、それら長穴と丸穴とが組み合わされて並設されてもよい。もっとも、固定穴２ｂ、４ｂの形状は、長穴や丸穴に限定されるものでもない。
【００２５】
本体６は、前述のように、底壁６ａと矩形枠状の周壁６ｂを有して、前方に開口する直方体形状をしている。そして、前述の蓋部材５は、本体６の前方の開口を覆う正面壁５ａと、その正面壁５ａから周壁６ｂの外面に被るように延出する矩形枠状の延出壁５ｂとを有する。そこで、周壁６ｂと延出壁５ｂとが、ヒンジ７により互いに回動可能に連結されることで、本体６に対し蓋部材５が、開閉動可能となる。ここで、図１は、蓋部材５が開位置にあるときを示し、図２は、蓋部材５が閉位置にあるときを示す。なお、図中符号６ｆは、底面６ｃにおける固定面２を囲む周縁面６ｄに設けられる他の閉塞部６ｆ（詳しくは、ノックアウト）を示し（図３、図５参照）、６ｇは、周壁６ｂに設けられる他の閉塞部６ｇ（詳しくは、ノックアウト）を示す（図２参照）。また、８は、この機器収容ボックス１ａを建物の壁等の被取付体に取り付けるための取付孔を示す。
【００２６】
次に、以上の構成からなる機器収容ボックス１ａ（機器固定部材１）の作用効果について説明する。この機器収容ボックス１ａ（機器固定部材１）によると、電気機器が固定される固定面２に、ケーブルのための除去可能な閉塞部４が設けられ、その固定面２には、閉塞部４の前面を除く主固定面２ａと、閉塞部４の前面の補助固定面４ａとの両方に、固定のためのビスが強制的に螺入する固定穴２ｂ、４ｂが設けられる。このため、閉塞部４の前面が、固定面２の一部となって、固定のためのスペースを広く取ることができる。そして、閉塞部４を除去すれば、貫通孔３が形成され、その貫通孔３を通してケーブルを配設することもできる。すなわち、この機器収容ボックス１ａ（機器固定部材１）によれば、ケーブルのための除去可能な閉塞部４が、電気機器が固定される固定面２の一部となるため、固定のためのスペースを広く取ることができ、スペースを有効に利用することができる。
【００２７】
また、固定面２が、閉塞部４の前面である補助固定面４ａを含めて同一面上にあることから、補助固定面４ａに設けられた第２固定穴４ｂを用いて電気機器を固定する場合であっても、その電気機器を安定して固定することができる。
【００２８】
また、閉塞部４は、固定面２の中心からずれた位置に設けられる。このため、閉塞部４を除去して貫通孔３として利用する場合に、貫通孔３と干渉することなく電気機器を配置することが容易となる。そして、閉塞部４が、底面６ｃの矩形形状を構成する２組の相対する辺のうち、一方の組の相対する辺Ｘ１、Ｘ１間の中心線からずれた位置にある（したがって、底面６ｃの中心からずれた位置にある）とともに、他方の組の相対する辺Ｘ２、Ｘ２間の中心線の位置にある。これにより、この中心線の位置にある閉塞部４を除去して形成される貫通孔３と、この機器収容ボックス１ａが取り付けられる建物の壁等の被取付体にあけられたケーブル挿通用の孔とを合わせることで、そのケーブル挿通用の孔を中心として機器収容ボックス１ａを設置することができる。
【００２９】
なお、本発明は、上述した実施の形態に限定されるわけではなく、その他種々の変更が可能である。例えば、機器収容ボックス１ａは、本体６に対し、蓋部材５が、ヒンジ７により開閉動可能に取り付けられるが、本体６に対し、蓋部材５が、ビス等の固着具により着脱可能に取り付けられてもよい。また、固定面２は、本体６の底面６ｃに設けられるが、本体６の周壁６ｂとか、蓋部材５の表面とかに設けられてもよい。
【００３０】
また、機器固定部材１は、機器収容ボックス１ａからならなくとも、図６および図７に示すように、平板状の機器固定台１ｂからなってもよい。この例においては、機器固定台１ｂの前面のほぼ全体が固定面２となり、その固定面２は、その全体が、第１固定穴２ｂ、２ｂおよび第２固定穴４ｂ、４ｂによって埋め尽くされる。そして、閉塞部４は、固定面２の中心に設けられ、また、機器固定台１ｂの前面の中心に設けられ、その閉塞部４を除去することで貫通孔３が形成される。また、この機器固定台１ｂは、平板矩形形状を有し、その前面の四隅に、この機器固定台１ｂを建物の壁等の被取付体に取り付けるための取付孔８があけられている。
【００３１】
また、図８および図９に示すように、固定面２における第１固定穴２ｂは、主固定面２ａの全体ではなく、主固定面２ａに対し部分的に設けられてもよい。また、この例においても、機器固定台１ｂは、平板矩形形状を有し、その前面に固定面２が設けられるが、閉塞部４は、固定面２の中心からずれた位置に設けられる。これにより、閉塞部４を除去して貫通孔３として利用する場合に、貫通孔３と干渉することなく電気機器を配置することが容易となる。また、閉塞部４は、機器固定台１ｂの前面の中心からずれた位置に設けられ、詳細には、閉塞部４は、機器固定台１ｂの前面の矩形形状を構成する２組の相対する辺のうち、一方の組の相対する辺Ｙ１、Ｙ１間の中心線からずれた位置にあるとともに、他方の組の相対する辺Ｙ２、Ｙ２間の中心線の位置にある。これにより、この中心線の位置にある閉塞部４を除去して形成される貫通孔３と、この機器固定台１ｂが取り付けられる建物の壁等の被取付体にあけられたケーブル挿通用の孔とを合わせることで、そのケーブル挿通用の孔を中心として機器固定台１ｂを設置することができる。
【００３２】
また、閉塞部４は、打ち抜きにより除去されるノックアウトからならなくとも、閉塞部４の周囲側とは別体に形成されて、貫通孔３に着脱可能に取付固定されるものでもよい。
【００３３】
また、閉塞部４（つまりは、貫通孔３）は、円形に形成されなくとも、角形とか楕円形等に形成されてもよく、また、閉塞部４の数は、固定面２において、一つでなくとも複数設けられてもよい。
【００３４】
また、固定面２において、主固定面２ａと補助固定面４ａとが、同一面上にあるが、主固定面２ａに対して、補助固定面４ａが低くなっていてもよい。
【００３５】
機器収容ボックス１ａの底壁６ａとか底面６ｃ、あるいは、機器固定台１ｂとかその前面は、矩形形状を有するものでなくとも、円形形状等、その他の形状を有していてもよい。
【符号の説明】
【００３６】
１  機器固定部材
１ａ  機器固定ボックス（機器固定部材）
１ｂ  機器固定台（機器固定部材）
２  固定面
２ａ  主固定面
２ｂ  第１固定穴
３  貫通孔
４  閉塞部
４ａ  補助固定面
４ｂ  第２固定穴
５  蓋部材
６  本体
６ａ  底壁
６ｂ  周壁
６ｃ  底面
【図１】
2016034222.tif 000003
【図２】
2016034222.tif 000004
【図３】
2016034222.tif 000005
【図４】
2016034222.tif 000006
【図５】
2016034222.tif 000007
【図６】
2016034222.tif 000008
【図７】
2016034222.tif 000009
【図８】
2016034222.tif 000010
【図９】
2016034222.tif 000011